(57)【要約】【課題】  縦長の物品を安定した状態に収容できる低コストの段ボール箱を提供する。【解決手段】  段ボール箱１の底側の内フラップ４の対向する端部に物品Ａの底面と接しないようにするための切欠部４ａをそれぞれ形成する。１２体の物品Ａを３×４列に載置すると、中央側の２列の物品Ａの底面は平坦な外フラップ３上に載る。したがって、物品Ａが配置される底面に段差が無いから、傾くことなく直立した状態で収容でき、パッドや埋め板等が不要であるから低コストで製作できる。【選択図】図１
0003124276.tif 000002
【実用新案登録請求の範囲】
【請求項１】
段ボール箱の底側の内フラップの対向する端部の収容する物品が載る位置に切欠部を形成し、内フラップの端部に位置する物品の底面が外フラップ上に載置されるようにしたことを特徴とする、段ボール箱。
【請求項２】
段ボール箱の底側の内フラップの少なくとも対向する端部の収容する物品が載る位置を潰して薄板部を形成し、内フラップの端部に載置する物品の傾斜を低減できるようにしたことを特徴とする、段ボール箱。
【請求項３】
薄板部を内フラップの全面に形成した、請求項２記載の段ボール箱。
【請求項４】
段ボール箱の蓋側の内フラップに物品の上部を拘束するための穴部又は潰して薄板化した凹部を形成した、請求項１〜３いずれか記載の段ボール箱。
【考案の詳細な説明】
【技術分野】
【０００１】
本考案は段ボール箱に関し、詳しくは縦長の物品を安定した状態に収容できるようにする技術に関する。
【背景技術】
【０００２】
従来、段ボール箱には対向する内フラップ間に大きな間隔を有しており、例えばボトルや瓶等の縦長の物品を収容すると、底側の内フラップと外フラップで形成された段差により物品が傾き、収容時の姿勢が不安定になる問題があった。そこで、内フラップ間の間隔を無くすように内フラップを長く形成したり、内フラップ間の隙間に埋め板を敷いたり、内フラップの上面に平板状のパッドを敷いたり、トレイや仕切りを設けたりすることが成されているが、いずれも材料や製作のコストがかかる問題があった。
【特許文献１】特開２０００−６９５３号公報
【考案の開示】
【考案が解決しようとする課題】
【０００３】
本考案が解決しようとする課題は、従来のこれらの問題点を解消し、縦長の物品を安定した状態に収容できる低コストの段ボール箱を提供することにある。
【課題を解決するための手段】
【０００４】
かかる課題を解決した本考案の構成は、
１）  段ボール箱の底側の内フラップの対向する端部の収容する物品が載る位置に切欠部を形成し、内フラップの端部に位置する物品の底面が外フラップ上に載置されるようにしたことを特徴とする、段ボール箱
２）  段ボール箱の底側の内フラップの少なくとも対向する端部の収容する物品が載る位置を潰して薄板部を形成し、内フラップの端部に載置する物品の傾斜を低減できるようにしたことを特徴とする、段ボール箱
３）  薄板部を内フラップの全面に形成した、前記２）記載の段ボール箱
４）  段ボール箱の蓋側の内フラップに物品の上部を拘束するための穴部又は潰して薄板化した凹部を形成した、前記１）〜３）いずれか記載の段ボール箱
にある。
【考案の効果】
【０００５】
本考案によれば、収容時に物品の底面が段差の無い平坦な外フラップ又は段差の少ない薄板部に載置されるから、物品がボトルや瓶等の縦長でもほとんど傾くことなく安定した状態に収容できる。また、従来のようにパッドを敷いたりトレイや仕切りを設けたりしないから材料や製作のコストが増加することがなく、切欠部を形成するものは切り欠いた分材料コストを低減できる。
【考案を実施するための最良の形態】
【０００６】
本考案では、段ボール箱の蓋側の内フラップに物品の上部を拘束するための穴部又は潰して薄板化した凹部を形成すると、運搬時の揺れや衝撃に対しても動くことなく姿勢がより安定して好ましい。切欠部・薄板部・穴部・凹部の形状は物品の形状に応じて形成される。薄板部を内フラップの全面に形成すると、物品の底面形状が異なっても収容でき、汎用性に優れる。以下、本考案の各実施例を図面に基づいて具体的に説明する。
【実施例１】
【０００７】
図１，２に示す実施例１は、円筒状の縦長の１２体の物品を３×４列に収容する段ボール箱において、その底側の内フラップに切欠部を形成した例である。図１は実施例１の段ボール箱の一部切欠き斜視図、図２は実施例１の段ボール箱の展開図である。図中、１は段ボール箱、２は段ボール、３は外フラップ、４は内フラップ、４ａは切欠部、４ｂは穴部、５は手掛け穴、６は継ぎしろ、７は折り目、Ａは物品である。
【０００８】
実施例１の段ボール２は、図２に示すように底側の内フラップ４の対向する端部の中央側の２列の物品Ａの底面が載る位置に半円状の切欠部４ａをそれぞれ形成し、蓋側の内フラップ４に両側の各列の物品Ａの上部を拘束するための円状の穴部４ｂをぞれぞれ形成している。この段ボール２を組み立てると、底面には内フラップ４の切欠部４ａにより外フラップ３が大きく露出する。
【０００９】
この状態で１２体の物品Ａを３×４列に載置すると、図１に示すように中央側の２列の物品Ａの底面は平坦な外フラップ３上に載り、蓋側の内フラップ４を折り曲げると両側の各列の物品Ａの上部が穴部４ｂで拘束される。したがって、物品Ａが載置される面に段差が無いから、傾くことなく直立した状態で収容でき、また、穴部４ｂにより運搬時の揺れや衝撃に対しても動くことなく姿勢がより安定する。
【実施例２】
【００１０】
図３に示す実施例２は、段ボール箱の底側の内フラップに薄板部を形成した例である。図３は実施例２の段ボール箱の一部切欠き斜視図である。図中、４ｃは薄板部、４ｄは凹部である。実施例２の段ボール２は、底側の内フラップ４の対向する端部の中央側の２列の物品Ａの底面が載る位置を潰して半円状の薄板部４ｃをそれぞれ形成し、蓋側の内フラップ４に両側の各列の物品Ａの上部を拘束するための潰して薄板化した円状の凹部４ｄをそれぞれ形成している。
【００１１】
この状態で１２体の物品Ａを３×４列に載置すると、図３に示すように中央側の２列の物品Ａの底面は薄板部４ｃと外フラップ３上に載り、蓋側の内フラップ４を折り曲げると両側の各列の物品Ａの上部が凹部４ｄで拘束される。したがって、物品Ａが載置される面は薄板部４ｃにより段差が極めて小さいから、傾斜を大幅に低減してほとんど傾くことなく直立した状態で収容でき、また、凹部４ｄにより運搬時の揺れや衝撃に対しても動くことなく姿勢がより安定する。その他、符号、構成、作用効果は実施例１と同じである。
【００１２】
図４に示すのは、薄板部を内フラップの全面に形成した実施例２の他の例である。図４は実施例２の他の例の段ボール箱の一部切欠き斜視図である。この例は物品Ａの底面形状が異なっても収容できて汎用性に優れる。その他、符号、構成、作用効果は実施例２と同じである。
【産業上の利用可能性】
【００１３】
本考案の段ボール箱は、ボトルや瓶等の縦長の物品の収容に有用である。
【図面の簡単な説明】
【００１４】
【図１】実施例１の段ボール箱の一部切欠き斜視図である。
【図２】実施例１の段ボール箱の展開図である。
【図３】実施例２の段ボール箱の一部切欠き斜視図である。
【図４】実施例２の他の例の段ボール箱の一部切欠き斜視図である。
【符号の説明】
【００１５】
１  段ボール箱
２  段ボール
３  外フラップ
４  内フラップ
４ａ  切欠部
４ｂ  穴部
４ｃ  薄板部
４ｄ  凹部
５  手掛け穴
６  継ぎしろ
７  折り目
Ａ  物品
【図１】
0003124276.tif 000003
【図２】
0003124276.tif 000004
【図３】
0003124276.tif 000005
【図４】
0003124276.tif 000006